(57)【要約】【課題】負荷変動，直流架線電圧変動によって発生するＬＣフィルタ回路の共振現象を抑制するようにした電力変換装置の提供。【解決手段】電力変換装置は、直流電圧源１、リアクトル２とコンデンサ３からなるＬＣフィルタ回路４、抵抗器５と半導体素子６からなるダンピング回路７、及びインバータ回路８で構成される。ＬＣフィルタ回路４の共振周波数成分を検出する共振成分検出手段９を設ける。共振成分検出手段９により検出されたＬＣフィルタ回路４の共振周波数成分に応じて、ダンピング回路７の半導体素子６の導通状態を制御する。電力中断終了時以外の原因である負荷変動，直流架線電圧変動によって発生するＬＣフィルタ回路４の共振現象を確実に抑制できる。【選択図】        図１
2004236395.tif 000002
【特許請求の範囲】
【請求項１】
直流電力を供給する直流電源と、リアクトル及び前記リアクトルに直列に接続されたコンデンサからなるフィルタ回路と、抵抗器及び前記抵抗器に並列に接続された半導体素子からなるダンピング回路と、前記フィルタ回路及び前記ダンピング回路を介して前記直流電源に接続され、前記直流電源の供給する直流電力を交流電力に変換するインバータ回路とによって構成される電力変換装置であって、
前記フィルタ回路の共振周波数成分を検出する共振成分検出手段を設け、前記共振成分検出手段は、検出された前記フィルタ回路の共振周波数成分に応じて、前記ダンピング回路の前記半導体素子の導通状態を制御する機能を備えたことを特徴とする電力変換装置。
【請求項２】
上記共振成分検出手段は、上記フィルタ回路の上記コンデンサの電圧を検出する電圧検出手段と、前記電圧検出手段により検出された前記コンデンサの電圧に含まれる前記フィルタ回路の共振周波数成分に応じて、上記ダンピング回路の上記半導体素子の導通状態を制御する制御回路とから構成されていることを特徴とする請求項１に記載の電力変換装置。
【請求項３】
上記共振成分検出手段は、上記フィルタ回路に流れる入力電流を検出する電流検出手段と、前記電流検出手段により検出された入力電流の共振周波数成分に応じて、上記ダンピング回路の上記半導体素子の導通状態を制御する制御回路とから構成されていることを特徴とする請求項１に記載の電力変換装置。
【請求項４】
上記共振成分検出手段は、検出された上記フィルタ回路の共振周波数成分の振幅に応じて、上記ダンピング回路の上記半導体素子の通流率を制御する機能を備えていることを特徴とする請求項１乃至３のいずれかに記載の電力変換装置。
【請求項５】
上記半導体素子の通流率制御におけるスイッチング周波数は、上記直流電源を生成している交流商用電源の電源周波数（５０Ｈｚ又は６０Ｈｚ）の３倍ないしは６倍の周波数であることを特徴とする請求項４に記載の電力変換装置。
【請求項６】
上記共振成分検出手段は、検出された上記フィルタ回路の共振周波数成分の振幅が規定値以上となった場合、前記フィルタ回路の共振周波数成分の特定の位相でのみ、上記半導体素子がオフ状態となるように前記半導体素子の導通状態を制御、若しくは、上記抵抗器に電流が流れる期間を最小となるように前記半導体素子の通流率を制御する機能を備えていることを特徴とする請求項１乃至５のいずれかに記載の電力変換装置。
【請求項７】
上記抵抗器及び上記半導体素子の温度を検出する温度検出手段若しくは温度を算出する温度算出手段を設け、上記共振成分検出手段は、前記温度検出手段若しくは前記温度算出手段の出力する前記抵抗器及び前記半導体素子の少なくとも一方の温度が一定値を超えた場合、前記半導体素子のスイッチング周波数を低減させるように制御する機能を備えていることを特徴とする請求項１乃至６のいずれかに記載の電力変換装置。
【請求項８】
上記共振成分検出手段は、上記温度検出手段若しくは上記温度算出手段の出力する上記抵抗器及び上記半導体素子の少なくとも一方の温度が一定値を超えた場合、前記半導体素子をオフ状態にする期間を、通常の温度の場合よりも短くなるように前記半導体素子の通流率を制御する機能を備えていることを特徴とする請求項１乃至６のいずれかに記載の電力変換装置。
【請求項９】
上記抵抗器の抵抗値Ｒ、上記半導体素子の耐圧Ｖｍａｘ、前記抵抗器に流れる許容可能な最大入力電流値Ｉｓｍａｘは、下記式［１］の関係を満たしていることを特徴とする請求項１乃至６のいずれかに記載の電力変換装置。
Ｖｍａｘ≧Ｒ×Ｉｓｍａｘ                  ［１］
【請求項１０】
上記直流電源と上記リアクトルとの間に電流遮断機能を有する遮断器を設け、上記共振成分検出手段は、下記式［２］の関係となった場合、前記半導体素子をオン状態に保つと共に、前記遮断器により前記直流電源と前記リアクトルとを電気的に切り離す機能を備えていることを特徴とする請求項９に記載の電力変換装置。
Ｖｍａｘ＜Ｒ×Ｉｓｍａｘ                  ［２］
【発明の詳細な説明】
【０００１】
【発明の属する技術分野】
本発明は、電力変換装置に関し、特に、直流入力端にリアクトルとコンデンサからなるフィルタ回路を有し、直流電源（直流架線電圧）から交流電力を得る電力変換装置における直流入力フィルタ回路の共振現象を抑制する制御技術に関するものである。
【０００２】
【従来の技術】
電気車のように直流入力端にリアクトル及びコンデンサからなるＬＣフィルタ回路を有し、直流架線電圧から電力を得る電力変換装置においては、電力変換装置の負荷容量の変動に伴い直流架線からの入力電力が変動したり、直流架線電圧が変動したり、直流架線電圧から電力を得る集電装置が直流架線から離れることによって、電力が中断したりすると、ＬＣフィルタ回路が共振し、直流架線に共振周波数成分が流れ、通信設備に悪影響を与える、電力変換装置に過大な電圧が印加される、電力変換装置の直流電圧源の電圧が変動するため、安定した交流出力電圧を得ることができない、等の課題が発生する。
【０００３】
従来の公知例として特許文献１には、コンデンサ及びリアクトルからなる直流入力ＬＣフィルタ回路を有する電気車制御装置において、電力中断終了時に発生する電圧振動、即ち、ＬＣフィルタ回路の共振現象を抑制する手段についての記載がある。
【０００４】
【特許文献１】
特開昭５６−１９３０１号公報
【０００５】
【発明が解決しようとする課題】
上述した公知例の特許文献１においては、電力中断終了時に発生する異常振動を抑制することはできるが、電力中断終了時以外の原因である直流架線電圧変動，負荷変動によって発生するＬＣフィルタ回路の共振現象を抑制することはできない。
このため、上記に述べたような課題を解決することはできない。
【０００６】
本発明の目的は、半導体素子と抵抗器を並列接続したダンピング回路を挿入し、直流入力フィルタ回路の共振現象を抑制する電力変換装置において、フィルタ回路の共振現象の発生原因に拘らず、電力中断終了時以外の原因である直流架線電圧変動，負荷変動によって発生するフィルタ回路の共振現象を確実に抑制すると共に、必要最小限の電力損失でフィルタ回路の共振現象を抑制することが可能な電力変換装置を提供することにある。
【０００７】
【課題を解決するための手段】
本発明の電力変換装置は、直流電力を供給する直流電源と、リアクトル及び前記リアクトルに直列に接続されたコンデンサからなるフィルタ回路と、抵抗器及び前記抵抗器に並列に接続された半導体素子からなるダンピング回路と、前記フィルタ回路及び前記ダンピング回路を介して前記直流電源に接続され、前記直流電源の供給する直流電力を交流電力に変換するインバータ回路とによって構成される電力変換装置であって、前記フィルタ回路の共振周波数成分を検出する共振成分検出手段を設け、前記共振成分検出手段が、検出された前記フィルタ回路の共振周波数成分に応じて、前記ダンピング回路の前記半導体素子の導通状態を制御する機能を備えたことを特徴とする構成を有するものである。
【０００８】
本発明の電力変換装置は、上記共振成分検出手段が、上記フィルタ回路の上記コンデンサの電圧を検出する電圧検出手段と、前記電圧検出手段により検出された前記コンデンサの電圧に含まれる前記フィルタ回路の共振周波数成分に応じて、上記ダンピング回路の上記半導体素子の導通状態を制御する制御回路とから構成されている。
【０００９】
本発明の電力変換装置は、上記共振成分検出手段が、上記フィルタ回路に流れる入力電流を検出する電流検出手段と、前記電流検出手段により検出された入力電流の共振周波数成分に応じて、上記ダンピング回路の上記半導体素子の導通状態を制御する制御回路とから構成されている。
【００１０】
本発明の電力変換装置は、上記共振成分検出手段が、検出された上記フィルタ回路の共振周波数成分の振幅に応じて、上記ダンピング回路の上記半導体素子の通流率を制御する機能を備えている。
【００１１】
本発明の電力変換装置は、上記半導体素子の通流率制御におけるスイッチング周波数が、上記直流電源を生成している交流商用電源の電源周波数（５０Ｈｚ又は６０Ｈｚ）の３倍ないしは６倍の周波数である。
【００１２】
本発明の電力変換装置は、上記共振成分検出手段が、検出された上記フィルタ回路の共振周波数成分の振幅が規定値以上となった場合、前記フィルタ回路の共振周波数成分の特定の位相でのみ、上記半導体素子がオフ状態となるように前記半導体素子の導通状態を制御、若しくは、上記抵抗器に電流が流れる期間を最小となるように前記半導体素子の通流率を制御する機能を備えている。
【００１３】
本発明の電力変換装置は、上記抵抗器及び上記半導体素子の温度を検出する温度検出手段若しくは温度を算出する温度算出手段を設け、上記共振成分検出手段が、前記温度検出手段若しくは前記温度算出手段の出力する前記抵抗器及び前記半導体素子の少なくとも一方の温度が一定値を超えた場合、前記半導体素子のスイッチング周波数を低減させるように制御する機能を備えている。
【００１４】
本発明の電力変換装置は、上記共振成分検出手段が、上記温度検出手段若しくは上記温度算出手段の出力する上記抵抗器及び上記半導体素子の少なくとも一方の温度が一定値を超えた場合、前記半導体素子をオフ状態にする期間を、通常の温度の場合よりも短くなるように前記半導体素子の通流率を制御する機能を備えている。
【００１５】
本発明の電力変換装置は、上記抵抗器の抵抗値Ｒ、上記半導体素子の耐圧Ｖｍａｘ、前記抵抗器に流れる許容可能な最大入力電流値Ｉｓｍａｘが、下記式［１］の関係を満たしていることが好ましい。
Ｖｍａｘ≧Ｒ×Ｉｓｍａｘ                  ［１］
【００１６】
本発明の電力変換装置は、上記直流電源と上記リアクトルとの間に電流遮断機能を有する遮断器を設け、上記共振成分検出手段が、下記式［２］の関係となった場合、前記半導体素子をオン状態に保つと共に、前記遮断器により前記直流電源と前記リアクトルとを電気的に切り離す機能を備えている。
Ｖｍａｘ＜Ｒ×Ｉｓｍａｘ                  ［２］
【００１７】
直流架線と電力変換装置との間に挿入されるＬＣフィルタ回路のリアクトルと直列に、半導体素子と抵抗器を並列接続したダンピング回路を挿入すると共に、前記ＬＣフィルタ回路の共振周波数成分を検出する共振成分検出手段を備え、前記共振成分検出手段が前記ＬＣフィルタ回路の共振周波数成分を検出した場合、前記ダンピング回路の半導体素子をターンオフ状態にし、前記半導体素子の導通状態を制御して、ＬＣフィルタ回路に抵抗器を挿入し、ＬＣフィルタ回路の共振現象を抑制する。
【００１８】
また、共振成分検出手段は、検出されたＬＣフィルタ回路の共振周波数成分の振幅に応じて、ダンピング回路の半導体素子の通流率を制御しても上記と同様の効果が得られる。
【００１９】
また、共振成分検出手段により検出されたフィルタ回路の共振周波数成分の振幅が規定値以上となった場合、前記ＬＣフィルタ回路の共振周波数成分の特定の位相でのみ、ダンピング回路の半導体素子がオフ状態となるように前記半導体素子の導通状態を制御、若しくは、抵抗器に電流が流れる期間を最小となるように前記半導体素子の通流率を制御することによって、前記ＬＣフィルタ回路の共振現象を抑制する時に発生する前記抵抗器が消費する電力損失を最小限にすることができる。
【００２０】
さらに、上記半導体素子及び上記抵抗器の温度を検出する温度検出手段、ないしは、これらの温度を算出する温度算出手段を設け、前記温度検出手段ないしは前記温度算出手段の出力する前記半導体素子及び前記抵抗器の少なくとも一方の温度が一定値を超えた場合、前記半導体素子のスイッチング周波数を低減させることによって、前記半導体素子及び前記抵抗器の加熱による素子破壊を防止することができる。
【００２１】
勿論、ダンピング回路の半導体素子の通流率に制限を加えることでも、半導体素子及び抵抗器の加熱による素子破壊を防止することができる。
【００２２】
【発明の実施の形態】
以下、本発明の実施の一形態について図面を参照して詳細に説明する。
図１は、本発明に係る電力変換装置の一実施形態を示す回路構成図である。
本発明の電力変換装置は、直流電力を供給する直流電源である直流電圧源１と、リアクトル２及びリアクトル２に直列に接続されたコンデンサ３からなるＬＣフィルタ回路４と、抵抗器５及び抵抗器５に並列に接続された半導体素子６からなるダンピング回路７と、ＬＣフィルタ回路４及びダンピング回路７を介して直流電圧源１に接続され、直流電圧源１の供給する直流電力を交流電力に変換するインバータ回路８とによって構成されている。
【００２３】
本発明の電力変換装置は、ＬＣフィルタ回路４の共振周波数成分を検出する共振成分検出手段９を設け、共振成分検出手段９が、検出されたＬＣフィルタ回路４の共振周波数成分に応じて、ダンピング回路７の半導体素子６の導通状態を制御する機能を備えている。
【００２４】
本発明の電力変換装置は、共振成分検出手段９が、検出されたＬＣフィルタ回路４の共振周波数成分の振幅に応じて、ダンピング回路７の半導体素子６の通流率を制御する機能を備えている。
【００２５】
本発明の電力変換装置は、共振成分検出手段９が、ＬＣフィルタ回路４のコンデンサ３の電圧を検出する電圧検出手段１０と、電圧検出手段１０により検出されたコンデンサ３の電圧に含まれるＬＣフィルタ回路４の共振周波数成分に応じて、ダンピング回路７の半導体素子６の導通状態を制御する制御回路１１とから構成されている。
【００２６】
電力変換装置は、図１に示すように、直流架線電圧を示す直流電圧源１と、リアクトル２及びリアクトル２に直列に接続されたコンデンサ３からなり、直流入力電力を平滑するＬＣフィルタ回路４と、直流電圧源１とリアクトル２との間に接続される半導体素子６及び半導体素子６に並列に接続される抵抗器５からなるダンピング回路７と、コンデンサ３を直流電圧源とし、直流電力を交流電力に変換して交流負荷１２に交流電力を供給するインバータ回路８と、コンデンサ３の電圧を検出する電圧検出手段１０と、電圧検出手段１０の出力に応じて半導体素子６の導通状態を制御する制御回路１１から構成される。
【００２７】
図１において、通常、半導体素子６はオン状態としておく。
電力変換装置において、負荷変動，直流架線電圧変動が発生すると、ＬＣフィルタ回路４の共振現象が発生する。
【００２８】
制御回路１１は、電圧検出手段１０からコンデンサ３の電圧に含まれるＬＣフィルタ回路４の共振周波数成分を検出する共振成分検出機能を有し、ＬＣフィルタ回路４の共振周波数成分を検出した場合、半導体素子６をオン状態からオフ状態にし、ＬＣフィルタ回路４に抵抗器５が挿入されるようにし、ＬＣフィルタ回路４の共振現象を抑制する。
そして、ＬＣフィルタ回路４の共振周波数成分が抑制されたことが検出されたら、再び、半導体素子６をオフ状態からオン状態にする。
【００２９】
ＬＣフィルタ回路４の共振現象が発生している期間のみ、ＬＣフィルタ回路４に抵抗器５を挿入することで、必要最小限の電力損失でＬＣフィルタ回路４の共振現象を抑制することができる。
【００３０】
また、制御回路１１は、電圧検出手段１０により検出されたコンデンサ３の電圧に含まれるＬＣフィルタ回路４の共振周波数成分の振幅に応じて、ＬＣフィルタ回路４の半導体素子６の通流率を制御しても良い。
即ち、制御回路１１は、ＬＣフィルタ回路４の共振周波数成分の振幅が大きい時には、抵抗器５に電流が流れる期間が長くなるように半導体素子６の通流率を低く制御し、ＬＣフィルタ回路４の共振周波数成分の振幅が小さい時には、抵抗器５に電流が流れる期間が短くなるように半導体素子６の通流率を高く制御する。
これにより、抵抗器５で発生する電力損失を不必要に増加させることなく、ＬＣフィルタ回路４の共振周波数成分を効率良く抑制することができる。
【００３１】
本発明の電力変換装置は、半導体素子６の通流率制御におけるスイッチング周波数が、直流電圧源１を生成している交流商用電源の電源周波数（５０Ｈｚ又は６０Ｈｚ）の３倍ないしは６倍の周波数である。
【００３２】
なお、通流率制御を行う場合における半導体素子６のスイッチング周波数は、直流架線電圧を生成している交流商用電源の電源周波数（５０／６０Ｈｚ）の３倍ないしは６倍に設定する。
【００３３】
通常、直流架線電圧は、交流商用電源を三相全波整流して得ている。
このため、直流架線電圧は、交流商用電源の電源周波数の６倍及び３倍（相不平衡によって発生）の成分を含んでおり、通常、これらの周波数は、信号設備や通信設備で使用していないので、信号設備や通信設備に障害を与えることなく、ＬＣフィルタ回路４の共振現象を抑制することができる。
【００３４】
本発明の電力変換装置は、共振成分検出手段９が、検出されたＬＣフィルタ回路４の共振周波数成分の振幅が規定値以上となった場合、ＬＣフィルタ回路４の共振周波数成分の特定の位相でのみ、半導体素子６がオフ状態となるように半導体素子６の導通状態を制御、若しくは、抵抗器５に電流が流れる期間が最小となるように半導体素子６の通流率を制御する機能を備えている。
【００３５】
さらに、制御回路１１は、ＬＣフィルタ回路４の共振周波数成分の振幅が規定値以上となった場合、ＬＣフィルタ回路４の共振周波数成分の特定の位相でのみ、半導体素子６をオフ状態にするように半導体素子６の導通状態を制御、若しくは、抵抗器５に電流が流れる期間を最小にするように半導体素子６の通流率を制御することで、抵抗器５で消費される電力を最小にすることができる。
これにより、最小限の電力損失でＬＣフィルタ回路４の高い共振を低減することができる。
また、小容量の抵抗器５を使用することができ、装置を小型・軽量化することができる。
【００３６】
本発明の電力変換装置は、抵抗器５及び半導体素子６の温度を検出する温度検出手段（図示せず）若しくは温度を算出する温度算出手段（図示せず）を設け、共振成分検出手段９が、温度検出手段若しくは温度算出手段の出力する抵抗器５及び半導体素子６の少なくとも一方の温度が一定値を超えた場合、半導体素子６のスイッチング周波数を低減させるように制御する機能を備えている。
【００３７】
本発明の電力変換装置は、共振成分検出手段９が、温度検出手段若しくは温度算出手段の出力する抵抗器５及び半導体素子６の少なくとも一方の温度が一定値を超えた場合、半導体素子６をオフ状態にする期間を、通常の温度の場合よりも短くなるように半導体素子６の通流率を制御する機能を備えている。
【００３８】
半導体素子６及び抵抗器５の温度を計測して検出する温度検出手段ないしは温度を予測して算出する温度算出手段を設け、制御回路１１は、これらの出力する半導体素子６及び抵抗器５の少なくとも一方の温度が一定値を超えた場合、半導体素子６のスイッチング周波数を低減させるか、若しくは、半導体素子６をオフ状態にする期間を、通常の温度の場合よりも短くなるように半導体素子６の通流率に制限を加え、半導体素子６及び抵抗器５で発生する電力損失を低減することで、半導体素子６及び抵抗器５の加熱による破壊を防止する。
これにより、装置の信頼性を向上することができる。
【００３９】
本発明の電力変換装置は、抵抗器５の抵抗値Ｒ、半導体素子６の耐圧Ｖｍａｘ、抵抗器５に流れる許容可能な最大入力電流値Ｉｓｍａｘが、下記式［１］の関係を満たしていることが条件となる。
Ｖｍａｘ≧Ｒ×Ｉｓｍａｘ                  ［１］
【００４０】
ところで、半導体素子６をオフ状態にした時には、抵抗器５に入力電流が流れ、抵抗器５の両端には、入力電流をＩｓ、抵抗器５の抵抗値をＲとした時、Ｉｓ×Ｒの電圧が発生する。
【００４１】
抵抗器５の両端に発生した電圧Ｉｓ×Ｒが、半導体素子６の耐圧Ｖｍａｘを超えると、半導体素子６は破壊してしまう。
このような事態を防止するべく、抵抗器５に流れる入力電流Ｉｓの許容値、即ち、入力電流の流れ得る最大入力電流値Ｉｓｍａｘに対して、上記式［１］のＶｍａｘ≧Ｒ×Ｉｓｍａｘの関係を満たしているように、半導体素子６の耐圧Ｖｍａｘ、抵抗器５の抵抗値Ｒ、及び最大入力電流値Ｉｓｍａｘを設定する。
これにより、抵抗器５が発生する電圧は、半導体素子６の耐圧Ｖｍａｘ以下となるので、半導体素子６の破壊を防止することができる。
【００４２】
本発明の電力変換装置は、直流電圧源１とリアクトル２との間に電流遮断機能を有する遮断器（図示せず）を設け、共振成分検出手段９が、下記式［２］の関係となった場合、半導体素子６をオン状態に保つと共に、遮断器により直流電圧源１とリアクトル２とを電気的に切り離す機能を備えている。
Ｖｍａｘ＜Ｒ×Ｉｓｍａｘ                  ［２］
【００４３】
一方、制御回路１１は、下記式［２］のＶｍａｘ＜Ｒ×Ｉｓｍａｘの関係になった場合には、半導体素子６をオフ状態にしないようにオン状態に保持すると共に、直流架線とリアクトル２との間に電流遮断機能を有する遮断器を設け、この遮断器によって直流架線と本電力変換装置とを切り離すことで、半導体素子６を含む本電力変換装置を安全に直流架線から切り離すことができる。
【００４４】
図２は、本発明に係る電力変換装置の他の実施形態を示す回路構成図である。
本発明の電力変換装置は、共振成分検出手段９が、ＬＣフィルタ回路４に流れる入力電流を検出する電流検出手段１３と、電流検出手段１３により検出された入力電流の共振周波数成分に応じて、ダンピング回路７の半導体素子６の導通状態を制御する制御回路１１とから構成されている。
【００４５】
図２に示す電力変換装置は、コンデンサ３の電圧に含まれるＬＣフィルタ回路４の共振周波数成分に基づいてダンピング回路７の半導体素子６の導通状態を制御する代わりに、電流検出手段１３によりＬＣフィルタ回路４に流れる入力電流を検出し、制御回路１１が検出した入力電流の共振周波数成分に基づいてダンピング回路７の半導体素子６の導通状態を制御する構成である。
図２に示した電力変換装置の他の構成は、図１に示す一実施形態の電力変換装置と全く同様のため、同一部位に同一符号を付して説明を省略する。
【００４６】
なお、図２に示す電力変換装置の構成によっても、図１に示す電力変換装置と同様の効果が得られることは言うまでもない。
【００４７】
【発明の効果】
以上に述べたように、本発明の電力変換装置によれば、共振成分検出手段がフィルタ回路の共振周波数成分を検出すると、共振成分検出手段により検出されたフィルタ回路の共振周波数成分に応じて、ダンピング回路の半導体素子の導通状態を制御するので、半導体素子をオン状態からオフ状態にすることができ、ダンピング回路の抵抗器をフィルタ回路に挿入し、ダンピング回路の抵抗器に入力電流が流れるので、フィルタ回路の共振現象の発生原因に拘らず、電力中断終了時以外の原因である直流架線電圧変動，負荷変動によって発生するフィルタ回路の共振現象を確実に抑制することができ、フィルタ回路の共振現象が発生している期間のみ、フィルタ回路に抵抗器を挿入することで、必要最小限の電力損失でフィルタ回路の共振現象を抑制することができる。
【００４８】
また、共振成分検出手段により検出されたフィルタ回路の共振周波数成分の振幅に応じて、ダンピング回路の半導体素子の通流率を制御すれば、フィルタ回路の共振現象を抑制する時に、抵抗器で発生する電力損失を低減することができ、フィルタ回路の共振周波数成分を効率良く抑制するので、装置の効率を向上することができる。
【００４９】
さらに、ダンピング回路の抵抗器で消費される電力を最小にすることにより、抵抗器の容量を低減することができ、小型の抵抗器を使用することができるので、装置の小型・軽量化にも寄与する。
【図面の簡単な説明】
【図１】本発明に係る電力変換装置の一実施形態を示す回路構成図。
【図２】本発明に係る電力変換装置の他の実施形態を示す回路構成図。
【符号の説明】
１  直流電圧源
２  リアクトル
３  コンデンサ
４  ＬＣフィルタ回路
５  抵抗器
６  半導体素子
７  ダンピング回路
８  インバータ回路
９  共振成分検出手段
１０  電圧検出手段
１１  制御回路
１２  交流負荷
１３  電流検出手段
【図１】
2004236395.tif 000003
【図２】
2004236395.tif 000004